(57)【特許請求の範囲】
【請求項１】
流体供給源に連通されるとともに、
把持部と、
前記流体供給源から供給される流体を噴出可能なノズルと、
前記把持部に揺動自在に設けられ前記流体供給源と前記ノズルとの連通・遮断を切り換えるレバーと、
を有する流体噴出ガンにおいて、
前記把持部から前記レバーに対し反対方向に直線状に延出する案内部と、該案内部の前記把持部に対し反対側から半円状に湾曲する湾曲部と、該湾曲部の前記案内部に対し反対側から該案内部と平行をなすよう前方に直線状に延出する延出部とを有し、該延出部の先端に、筒状をなして内周側に流体を通過させるとともに可撓性を有する偏平部が形成されてなる前記ノズルが取り付けられており、
前記案内部に対し着脱可能かつスライド可能に支持されるとともに該案内部に対し任意の位置で固定可能な支持部と、該支持部に固定された台部と、前記ノズルの前記偏平部の外側を覆うように前記台部に固定されたガイド本体とを有することで前記ノズルの長さ方向に沿ってスライド可能となるガイドが前記偏平部の外側に設けられていることを特徴とする流体噴出ガン。
【発明の詳細な説明】
【０００１】
【発明の属する技術分野】
本発明は、気体、液体、または気体と液体との混合体を噴出させる際に用いられる流体噴出ガンに関する。
【０００２】
【従来の技術】
気体、液体、または気体と液体との混合体等の流体を噴出させる際に流体噴出ガンが用いられる。このような流体噴出ガンは、流体供給源に連通されるとともに、把持部と、流体供給源から供給される流体を噴出可能なノズルと、流体供給源とノズルとの連通・遮断を切り換える切換手段とを有するもので、従来、そのノズルは可撓性のないものが用いられている。
【０００３】
【発明が解決しようとする課題】
ところで、上記従来の流体噴出ガンにおいては、例えば、エアを噴出させてほこりを除去する清掃作業に用いる際には、ガンを振りエアの衝突位置を往復させながら行うことになるが、清掃範囲が広範囲となると、ガンを振る作業で作業者に負担がかかってしまうという問題が生じた。
また、流体の噴出力は流体供給源側の能力や流路形状で決まるもので、より大きな噴出力を得たい場合に対応できないという問題があった。
【０００４】
したがって、本発明の目的は、清掃作業等に使用した場合にも作業者にかかる負担を軽減し、また、より大きな噴出力を得ることができる流体噴出ガンを提供することである。
【０００５】
【課題を解決するための手段】
上記目的を達成するため、本発明の流体噴出ガンは、流体供給源に連通されるとともに、把持部と、前記流体供給源から供給される流体を噴出可能なノズルと、前記把持部に揺動自在に設けられ前記流体供給源と前記ノズルとの連通・遮断を切り換えるレバーと、を有する流体噴出ガンにおいて、前記把持部から前記レバーに対し反対方向に直線状に延出する案内部と、該案内部の前記把持部に対し反対側から半円状に湾曲する湾曲部と、該湾曲部の前記案内部に対し反対側から該案内部と平行をなすよう前方に直線状に延出する延出部とを有し、該延出部の先端に、筒状をなして内周側に流体を通過させるとともに可撓性を有する偏平部が形成されてなる前記ノズルが取り付けられており、前記案内部に対し着脱可能かつスライド可能に支持されるとともに該案内部に対し任意の位置で固定可能な支持部と、該支持部に固定された台部と、前記ノズルの前記偏平部の外側を覆うように前記台部に固定されたガイド本体とを有することで前記ノズルの長さ方向に沿ってスライド可能となるガイドが前記偏平部の外側に設けられていることを特徴とする。
【０００６】
これにより、ノズルが、その内部に通過する流体に生じる乱流の影響や流体の噴出時の力で、偏平部をその偏平方向において湾曲させつつ噴出先端側に往復運動を生じさせることになる。
【０００７】
【発明の実施の形態】
本発明の一の実施の形態を図面を参照して以下に説明する。
図１は、流体噴出ノズル（以下ノズルと称す）１１を示すもので、このノズル１１は、長さ方向に沿って貫通する貫通孔１２を有する筒状のノズル本体１３と、該ノズル本体１３の一端側に設けられた重量部１４とを有するものである。
ノズル本体１３は、全体が例えばナイロン・テフロン・ポリウレタン・ポリプロピレン等の可撓性材料で略一定肉厚に一体成形されてなるもので、中間所定範囲に、長さ方向に直交する一方向における幅が、長さ方向に直交しかつ前記一方向に直交する方向における幅より小さくされているいわゆる偏平形状の偏平部１６が形成されており、該偏平部１６の両側すなわちノズル本体１３の両端の所定範囲には、それぞれ円筒状の円筒部１７，１８が形成されている。なお、偏平部１６は、ノズル本体１３がその長さ方向に沿って直線状をなした状態においても偏平形状をなしている。
【０００８】
重量部１４は、中央に軸線方向に沿って貫通する貫通孔２０が形成されて略円筒状をなすとともに外周部に全長にわたってネジ部２２が形成されて、一側の円筒部１７にねじ込まれるネジ部材２１と、該一側の円筒部１７を内側に嵌合させる円筒状の嵌合部材２３とで構成されるもので、ネジ部材２１は金属材料からなり、嵌合部材２３はシリコン等の伸縮性材料からなっている。
なお、ネジ部材２１は、円筒部１７の内周側に予め形成されているメネジ部２４にねじ込まれ、このねじ込みによりノズル本体１３からの抜けが防止される。なお、円筒部１７の内周側にメネジ部２４を形成せずに、単に円筒部１７にネジ部材２１をねじ込んだ際の円筒部の変形により生じる力で固定するようにしてもよい。
また、嵌合部材２３は、その内径がネジ部材２１が螺合された円筒部１７の外径よりも小さくされており、これによりその内側に円筒部１７を嵌合させることによる変形により生じる力で円筒部１７からの抜けが防止される。ここで、嵌合部材２３は、その一端側に嵌合させない部分をつくるようにして円筒部１７を嵌合させるようになっており、これにより、ネジ部材２１の貫通孔２０にはかからない程度に、その伸縮性状で、円筒部１７の先端側を覆うようになっている。
【０００９】
図２は、上記のノズル１１が取り付けられる流体噴出ガン（以下ガンと称す）２６を示すもので、作業者により把持される把持部２７と、該把持部２７に略平行するように揺動自在に設けられたレバー（切換手段）２８とを有しており、レバー２８を前方（指先方向）に配置した状態で把持部２７において作業者に把持されるようになっている。
また、ガン２６は、把持部２７からレバー２８に対し反対方向に直線状に延出する案内部３０と、該案内部３０の把持部２７に対し反対側から半円状に湾曲する湾曲部３１と、該湾曲部３１の案内部３０に対し反対側から該案内部３０と平行をなすよう前方に直線状に延出する延出部３２とを有するもので、これら案内部３０、湾曲部３１および延出部３２は、一つの円筒状の管体３３を湾曲させることにより形成されている。
延出部３２の先端には取付部３４が設けられており、該取付部３４に上記ノズル１１が、重量部１４に対し反対側の円筒部１８を嵌合させた状態で、延出部３２と直線状をなすように取り付けられている。なお、このノズル１１は、例えば、把持部２７を上下に沿わせた状態で偏平部１６の偏平方向（幅薄方向）が左右方向となるよう取り付けられており、該取付状態において回転が規制されている。
【００１０】
このガン２６は、把持部２７の案内部３０に対し反対側に設けられた着脱部３５に取り付けられる図示せぬ配管を介して図示せぬ流体供給源に連通されることになり、レバー２８を把持部２７側に揺動させることで、該流体供給源から供給される流体を、把持部２７、案内部３０、湾曲部３１、延出部３２、取付部３４およびノズル１１のそれぞれの内部を通じて、ノズル１１の重量部１４側の先端部から噴出させることになる。なお、レバー２８は、把持部２７に対し反対方向にバネ等で付勢されており、把持部２７側への揺動を解除することで該バネの付勢力で把持部２７に対し反対方向に揺動して、ノズル１１の先端からの噴出を停止させ、このようにして、流体供給源とノズル１１との連通・遮断を切り換える。
【００１１】
ガン２６には、加えて、ノズル１１の長さ方向に沿ってスライド可能なガイド３７が設けられている。このガイド３７は、案内部３０に対し着脱可能かつスライド可能に支持されるとともに該案内部３０に対し任意の位置で固定可能な支持部３８と、該支持部３８に固定された台部３９と、ノズル１１の偏平部１６の外側を覆うように台部３９に固定されたガイド本体４０とを有している。
支持部３８は、案内部３０を挾むバネ材料からなる挾持体４２と、該挾持体４２の両側に設けられた一対の作動片４３とを有しており、作業者が一対の作動片４３を相互に近接させる方向に両側から把持すると挾持体４２が案内部３０の挾持を解除し、これにより案内部３０に沿って移動可能となる。そして、適宜の位置まで移動させて挾持体４２の挾持を解除すると挾持体４２が案内部３０を挾持することにより該案内部３０に固定される。
ガイド本体４０は、円筒状をなすもので、その内側にその軸線方向に沿ってノズル１１を、該ノズル１１との間に隙間を設けつつ挿通させることにより、該ノズル１１の外側を覆うようになっている。
そして、上記のように支持部３８を案内部３０に沿って移動させることでガイド本体４０は、ノズル１１に対する位置が変更されることになる。
【００１２】
以上のような構成を採用することにより、レバー２８を把持部２７の方向に揺動させて、流体供給源から供給される流体を、ノズル１１の内周側を通じて該ノズル１１の先端から噴出させると、該ノズル１１には、円筒部１７，１８と偏平部１６との断面形状の変化や流体自在の脈動等に起因して内部に流体の乱流が生じ、該乱流の影響や流体の噴出時の力で、可撓性材料からなるノズル１１の偏平部１６がその偏平方向において湾曲しつつ噴出先端側に偏平方向に沿った往復運動を生じさせることになる。
したがって、ノズル１１の先端側が自動的に往復運動するため、清掃作業等を行う場合にも振る必要がなくなり、作業者にかかる負担を軽減することができる。しかも、ノズル１１の偏平部１６は偏平方向の剛性が極端に小さくなるため、該偏平方向に湾曲することになり、このようにして、噴出先端側の往復方向を一定させることができる。加えて、ノズル１１の高速往復運動が、流体の圧力波を増幅するので激しい衝撃波となって帯状に発生し、より大きな噴出力を得ることができる。
【００１３】
また、ノズル１１の噴出先端側に重量部１４を設けているため、より大きな振幅でノズル１１の噴出先端側を往復運動させることができる。
さらに、重量部１４として、ノズル１１の噴出先端側の内周にねじ込まれる中空のネジ部材２１を用いているので、その取り付けが簡単となる。
加えて、偏平部１６の外側にノズル１１の長さ方向に沿ってスライド可能なガイド３７を設けており、このガイド３７は、偏平部１６の移動方向の両側を当接させることで、ノズル１１の往復運動の運動範囲すなわち振幅を規制することになる。そして、ガイド３７をノズル１１の噴出先端側に移動させれば、ノズル１１のガイド３７から噴出先端までの長さが短くなるため、往復運動の振幅が小さくなり、ガイド３７をノズル１１の噴出先端側から離間させれば、ノズル１１のガイド３７から噴出先端までの長さが長くなるため、往復運動の振幅が大きくなる。このようにして、ノズル１１の噴出先端の往復運動の振幅を調整することができる。
【００１４】
参考技術として、ノズル１１の噴出先端の往復運動の振幅を調整する必要がない場合は、偏平部１６の外側のガイド本体４０を、ガン２６に対し位置固定とすることも可能である。この場合、例えば、図３に示すように、ガイド４５を取付部３４に対し固定される台部４６と、該台部４６に偏平部１６の所定位置の外側を覆うよう固定される円筒状のガイド本体４７とを有する構造が採用できる。
ここで、以上に述べた流体とは、空気等の気体の他、液体や、気体と液体との混合体等であり、気体と液体との混合体を噴出させる場合は、流体供給源から気体のみを供給させ、ガン２６内に液体を導入可能にして、ベンチュリ管の原理で液体を気体に混合させて噴出させること等が可能である。
なお、流体として気体を噴出させる場合としては、例えば、エアを噴出させてほこりを除去する清掃作業や水分を除去する作業等があり、流体として液体を噴出させる場合としては、例えば、洗浄液を洗浄対象に噴出させる洗浄作業等があり、気体と液体との混合体を噴出させる場合としては、例えば、塗装作業等がある。
【００１５】
【発明の効果】
本発明の流体噴出ガンによれば、ノズルが、その内部に通過する流体に生じる乱流の影響や流体の噴出時の力で、偏平部をその偏平方向において湾曲させつつ噴出先端側に往復運動を生じさせることになる。
したがって、ノズルの先端側が自動的に往復運動するため、清掃作業等を行う場合にも振る必要がなくなり、作業者にかかる負担を軽減することができる。しかも、ノズルの偏平部は偏平方向の剛性が極端に小さくなるため、該偏平方向に湾曲することになり、このようにして、噴出先端側の往復方向を一定させることができる。加えて、ノズルの高速往復運動が、流体の圧力波を増幅するので激しい衝撃波となって帯状に発生し、より大きな噴出力を得ることができる。
また、前記ノズルの噴出先端側に重量部を設けることで、より大きな振幅でノズルの噴出先端側を往復運動させることができる。
さらに、前記重量部としては、前記ノズルの噴出先端側の内周にねじ込まれる中空のネジ部材を用いれば、その取り付けが簡単となる。
加えて、前記偏平部の外側に該ノズルの長さ方向に沿ってスライド可能なガイドを設けることで、ガイドをノズルの噴出先端側に移動させれば、ガイドから噴出先端までの長さが短くなるため、往復運動の振幅が小さくなり、ガイドをノズルの噴出先端側から離間させれば、ガイドから噴出先端までの長さが長くなるため、往復運動の振幅が大きくなる。このようにして、ノズルの噴出先端の往復運動の振幅を調整することができる。
【図面の簡単な説明】
【図１】  本発明の流体噴出ガンの一の実施の形態に用いられる流体噴出ノズルを示すもので、（ａ）は断面図、（ｂ）は（ａ）に示すＢ−Ｂ線に沿う断面図、（ｃ）は（ａ）に示すＣ−Ｃ線に沿う断面図である。
【図２】  本発明の流体噴出ガンの一の実施の形態を示す斜視図である。
【図３】  参考技術の流体噴出ガンの一部を示す斜視図である。
【符号の説明】
１１  流体噴出ノズル
１３  ノズル本体
１４  重量部
２１  ネジ部材
２６  流体噴出ガン
２７  把持部
２８  レバー
３７  ガイド
【図１】
0003955658.tif 000002
【図２】
0003955658.tif 000003
【図３】
0003955658.tif 000004